(57)【要約】【課題】携帯型情報機器において、パスワードの入力を必要とせずに、簡単な行為によって、正当な使用者であることを示すための入力操作を行うことができるようにする。【解決手段】携帯型情報機器は、使用者の片方の手に所持され得る形状をしており、電源オン操作がなされると（＃１でＹＥＳ）、本機器の電源をオンにした後（＃２）、使用者に本機器の姿勢を変化させることによる姿勢変化パターンの入力を要求する（＃３）。その後、携帯型情報機器は、使用者によって本機器の姿勢が変化させられたことにより入力された姿勢変化パターンを照合し（＃４）、入力された姿勢変化パターンが正当なパターンであれば（＃５でＹＥＳ）、本機器を通常起動して（＃６）、本機器の使用を可能な状態にし、入力された姿勢変化パターンが正当なパターンでなければ（＃５でＮＯ）、本機器の電源をオフにして（＃７）、本機器の使用を不可能な状態にする。【選択図】図４
2008228236.tif 000002
【特許請求の範囲】
【請求項１】
情報を入力するための情報入力手段と、情報が記憶される情報記憶手段と、情報を出力するための情報出力手段と、本機器を使用するために使用者により操作される操作手段と、使用者による前記操作手段の操作を受けて本機器の動作を制御する制御手段とを備え、
前記操作手段は、本機器の電源をオン／オフするために使用者により操作される電源スイッチを有し、
前記情報入力手段は、少なくとも画像を撮像するための画像撮像手段を含み、前記情報出力手段は、少なくとも画像を表示するための画像表示手段を含み、使用者に携帯されて使用される、使用者の片方の手に所持され得る形状の携帯型情報機器において、
本機器の姿勢を検出する姿勢検出手段と、
前記姿勢検出手段による検出出力を基に、使用者により本機器の姿勢が変化させられたときの本機器の姿勢変化パターンを検出する姿勢変化パターン検出手段と、
本機器の正当な使用者を識別するための識別情報として設定される本機器の姿勢変化パターンが記憶される設定メモリと、をさらに備え、
前記姿勢検出手段は、本機器の水平な姿勢、水平な姿勢に対して右に略９０度横向きになった姿勢、水平な姿勢に対して左に略９０度横向きになった姿勢、及び、水平な姿勢に対して上下が逆向きになった姿勢を区別して検出し、
前記姿勢変化パターン検出手段は、本機器の姿勢が変化した順序を姿勢変化パターンとして検出し、
前記制御手段は、
本機器が正当な使用者以外によって使用されるのを禁止する使用禁止制御手段と、
使用者による前記操作手段の操作を受けて、本機器の正当な使用者を識別するための本機器の姿勢変化パターンを設定するパターン設定手段とを有し、
前記パターン設定手段は、
使用者によって前記操作手段により本機器の姿勢変化パターンを記憶するための操作がなされると、前記情報出力手段により使用者に本機器の姿勢を変化させるように促し、
その後、使用者によって本機器の姿勢が変化させられることによる本機器の姿勢変化パターンを前記姿勢変化パターン検出手段により検出し、
該検出した姿勢変化パターンを、本機器の正当な使用者を識別するための姿勢変化パターンとして設定して前記設定メモリに記憶し、
前記使用禁止制御手段は、
使用者によって前記電源スイッチにより本機器の電源をオンにする操作がなされると、本機器の電源をオンにした後、前記情報出力手段により使用者に本機器の姿勢を変化させるように促し、
その後、使用者によって本機器の姿勢が変化させられることによる本機器の姿勢変化パターンを前記姿勢変化パターン検出手段により検出し、
該検出した姿勢変化パターンを前記設定メモリに記憶されている姿勢変化パターンと照合し、
該検出した姿勢変化パターンが前記設定メモリに記憶されている姿勢変化パターンと同じであれば、本機器を起動して、少なくとも前記画像撮像手段による画像の撮像、及び前記画像撮像手段により撮像されて前記情報記憶手段に記憶されている画像の前記画像表示手段による表示を含む本機器の使用を可能な状態にし、
該検出した姿勢変化パターンが前記設定メモリに記憶されている姿勢変化パターンと同じでなければ、本機器の電源をオフにして、少なくとも前記画像撮像手段による画像の撮像、及び前記画像撮像手段により撮像されて前記情報記憶手段に記憶されている画像の前記画像表示手段による表示を含む本機器の使用を不可能な状態にする、
ことを特徴とする携帯型情報機器。
【請求項２】
情報が記憶される情報記憶手段と、情報を出力するための情報出力手段と、本機器を使用するために使用者により操作される操作手段と、使用者による前記操作手段の操作を受けて本機器の動作を制御する制御手段とを備え、使用者に携帯されて使用される、使用者の片方の手に所持され得る形状の携帯型情報機器において、
本機器の姿勢を検出する姿勢検出手段と、
前記姿勢検出手段による検出出力を基に、使用者により本機器の姿勢が変化させられたときの本機器の姿勢変化パターンを検出する姿勢変化パターン検出手段と、
本機器の正当な使用者を識別するための識別情報として設定される本機器の姿勢変化パターンが記憶される設定メモリと、をさらに備え、
前記制御手段は、本機器が正当な使用者以外によって使用されるのを禁止する使用禁止制御手段を有し、
前記使用禁止制御手段は、
使用者によって本機器の姿勢が変化させられることによる本機器の姿勢変化パターンを前記姿勢変化パターン検出手段により検出し、
該検出した姿勢変化パターンを前記設定メモリに記憶されている姿勢変化パターンと照合し、
該検出した姿勢変化パターンが前記設定メモリに記憶されている姿勢変化パターンと同じであれば、少なくとも前記情報記憶手段に記憶されている情報の前記情報出力手段による出力を含む本機器の使用を可能な状態にし、
該検出した姿勢変化パターンが前記設定メモリに記憶されている姿勢変化パターンと同じでなければ、少なくとも前記情報記憶手段に記憶されている情報の前記情報出力手段による出力を含む本機器の使用を不可能な状態にする、
ことを特徴とする携帯型情報機器。
【請求項３】
前記姿勢検出手段は、本機器の水平な姿勢、水平な姿勢に対して右に略９０度横向きになった姿勢、水平な姿勢に対して左に略９０度横向きになった姿勢、及び、水平な姿勢に対して上下が逆向きになった姿勢を区別して検出し、
前記姿勢変化パターン検出手段は、本機器の姿勢が変化した順序を姿勢変化パターンとして検出する、
ことを特徴とする請求項２に記載の携帯型情報機器。
【発明の詳細な説明】
【技術分野】
【０００１】
本発明は、使用者に携帯されて使用され、少なくとも文書、画像、音声のいずれかによる情報が記憶され、その記憶された情報が使用者の操作によって出力される携帯型情報機器に関するものである。
【背景技術】
【０００２】
従来から、携帯型情報機器の一種である携帯電話機は、使用者に携帯されて使用され、無線通信による音声通話を行えるようになっている。また、携帯電話機は、無線通信による音声通話に加え、電子メールの送受信や画像の撮像を行えるようになっているものもある。このような携帯電話機においては、送受信した電子メールや撮像した画像などの情報が携帯電話機に記憶され、それら記憶された情報が使用者の操作によって再生出力できるようになっている。また、通話した音声の録音も行えるようになっており、録音された音声の情報も使用者の操作によって再生出力できるようになっている。
【０００３】
また、携帯型情報機器の一種であるデジタルスチルカメラにおいて、上下左右ボタン、シャッターボタン、ＯＫボタン、再生ボタン、ズームテレボタン、及びズームワイドボタンのうち、４つのボタンの操作をパスワードとして使用し、パスワードを用いて各使用者に使用可能なパーティションを制限することにより、各使用者が他人に割り当てられているパーティションに記録されている画像データに対してアクセスできないようにしたものが知られている（例えば特許文献１参照）。また、デジタルスチルカメラにおいて、予め記憶された切換操作手順どおりに操作することにより、画像データの表示許可／表示不許可を設定できるようにしたものが知られている（例えば特許文献２参照）。
【特許文献１】特開２００６−２２１２８８号公報
【特許文献２】特開２００４−４０４６８号公報
【発明の開示】
【発明が解決しようとする課題】
【０００４】
ところで、上述した従来の携帯電話機は、使用者に携帯されるものであるため、外出先で置き忘れや紛失をすることがあり、そのような場合には、携帯電話機が第三者によって使用され、携帯電話機に記憶されている送受信した電子メール、撮像した画像、録音した音声などの情報が第三者によって出力される虞がある。
【０００５】
そこで、このような携帯電話機において、携帯電話機を使用するときにパスワードを入力キーの操作により使用者に入力させ、入力されたキーワードを基に正当な使用者であるか否かを判断し、正当な使用者であると判断される場合に、携帯電話機の使用を可能な状態にすると共に、正当な使用者であると判断されなかった場合に、携帯電話機の使用を不可能な状態にする構成が考えられる。このような構成にすれば、正当なパスワードを知らない第三者は、携帯電話機を使用することができず、従って、正当な使用者が外出先で携帯電話機の置き忘れや紛失をしたとしても、正当な使用者でない第三者によって携帯電話機から情報が出力されるのを防止することができる。
【０００６】
しかしながら、このような構成では、携帯電話機を使用するために入力キーを操作してパスワードを入力しなければならず、入力キーの操作によるパスワードの入力（すなわち正当な使用者であることを示すための行為）が煩雑であり、使い勝手の悪いものとなってしまう。また、入力キーの操作に不慣れな者は、片方の手で携帯電話機を保持し、もう片方の手で入力キーを操作して、パスワードの入力をしなければならない。つまり、入力キーの操作に不慣れな者は、正当な使用者であることを示すための入力操作（入力キーの操作によるパスワードの入力）を両方の手を使って行わなければならず、使い勝手の悪いものとなってしまう。なお、上述した特許文献１及び特許文献２に開示の内容を適用したとしても、上記の課題を解決することはできない。
【０００７】
本発明は、上記課題を解決するためになされたものであり、パスワードの入力を必要とせずに、簡単な行為によって、正当な使用者であることを示すための入力操作を行うことができる携帯型情報機器を提供することを目的とする。
【課題を解決するための手段】
【０００８】
上記目的を達成するために請求項１の発明は、情報を入力するための情報入力手段と、情報が記憶される情報記憶手段と、情報を出力するための情報出力手段と、本機器を使用するために使用者により操作される操作手段と、使用者による操作手段の操作を受けて本機器の動作を制御する制御手段とを備え、操作手段は、本機器の電源をオン／オフするために使用者により操作される電源スイッチを有し、情報入力手段は、少なくとも画像を撮像するための画像撮像手段を含み、情報出力手段は、少なくとも画像を表示するための画像表示手段を含み、使用者に携帯されて使用される、使用者の片方の手に所持され得る形状の携帯型情報機器において、本機器の姿勢を検出する姿勢検出手段と、姿勢検出手段による検出出力を基に、使用者により本機器の姿勢が変化させられたときの本機器の姿勢変化パターンを検出する姿勢変化パターン検出手段と、本機器の正当な使用者を識別するための識別情報として設定される本機器の姿勢変化パターンが記憶される設定メモリと、をさらに備え、姿勢検出手段は、本機器の水平な姿勢、水平な姿勢に対して右に略９０度横向きになった姿勢、水平な姿勢に対して左に略９０度横向きになった姿勢、及び、水平な姿勢に対して上下が逆向きになった姿勢を区別して検出し、姿勢変化パターン検出手段は、本機器の姿勢が変化した順序を姿勢変化パターンとして検出し、制御手段は、本機器が正当な使用者以外によって使用されるのを禁止する使用禁止制御手段と、使用者による操作手段の操作を受けて、本機器の正当な使用者を識別するための本機器の姿勢変化パターンを設定するパターン設定手段とを有し、パターン設定手段は、使用者によって操作手段により本機器の姿勢変化パターンを記憶するための操作がなされると、情報出力手段により使用者に本機器の姿勢を変化させるように促し、その後、使用者によって本機器の姿勢が変化させられることによる本機器の姿勢変化パターンを姿勢変化パターン検出手段により検出し、該検出した姿勢変化パターンを、本機器の正当な使用者を識別するための姿勢変化パターンとして設定して設定メモリに記憶し、使用禁止制御手段は、使用者によって電源スイッチにより本機器の電源をオンにする操作がなされると、本機器の電源をオンにした後、情報出力手段により使用者に本機器の姿勢を変化させるように促し、その後、使用者によって本機器の姿勢が変化させられることによる本機器の姿勢変化パターンを姿勢変化パターン検出手段により検出し、該検出した姿勢変化パターンを設定メモリに記憶されている姿勢変化パターンと照合し、該検出した姿勢変化パターンが設定メモリに記憶されている姿勢変化パターンと同じであれば、本機器を起動して、少なくとも画像撮像手段による画像の撮像、及び画像撮像手段により撮像されて情報記憶手段に記憶されている画像の画像表示手段による表示を含む本機器の使用を可能な状態にし、該検出した姿勢変化パターンが設定メモリに記憶されている姿勢変化パターンと同じでなければ、本機器の電源をオフにして、少なくとも画像撮像手段による画像の撮像、及び画像撮像手段により撮像されて情報記憶手段に記憶されている画像の画像表示手段による表示を含む本機器の使用を不可能な状態にするものである。
【０００９】
請求項２の発明は、情報が記憶される情報記憶手段と、情報を出力するための情報出力手段と、本機器を使用するために使用者により操作される操作手段と、使用者による操作手段の操作を受けて本機器の動作を制御する制御手段とを備え、使用者に携帯されて使用される、使用者の片方の手に所持され得る形状の携帯型情報機器において、本機器の姿勢を検出する姿勢検出手段と、姿勢検出手段による検出出力を基に、使用者により本機器の姿勢が変化させられたときの本機器の姿勢変化パターンを検出する姿勢変化パターン検出手段と、本機器の正当な使用者を識別するための識別情報として設定される本機器の姿勢変化パターンが記憶される設定メモリと、をさらに備え、制御手段は、本機器が正当な使用者以外によって使用されるのを禁止する使用禁止制御手段を有し、使用禁止制御手段は、使用者によって本機器の姿勢が変化させられることによる本機器の姿勢変化パターンを姿勢変化パターン検出手段により検出し、該検出した姿勢変化パターンを設定メモリに記憶されている姿勢変化パターンと照合し、該検出した姿勢変化パターンが設定メモリに記憶されている姿勢変化パターンと同じであれば、少なくとも情報記憶手段に記憶されている情報の情報出力手段による出力を含む本機器の使用を可能な状態にし、該検出した姿勢変化パターンが設定メモリに記憶されている姿勢変化パターンと同じでなければ、少なくとも情報記憶手段に記憶されている情報の情報出力手段による出力を含む本機器の使用を不可能な状態にするものである。
【００１０】
請求項３の発明は、請求項２に記載の携帯型情報機器において、姿勢検出手段は、本機器の水平な姿勢、水平な姿勢に対して右に略９０度横向きになった姿勢、水平な姿勢に対して左に略９０度横向きになった姿勢、及び、水平な姿勢に対して上下が逆向きになった姿勢を区別して検出し、姿勢変化パターン検出手段は、本機器の姿勢が変化した順序を姿勢変化パターンとして検出するものである。
【発明の効果】
【００１１】
請求項１の発明によれば、電源スイッチにより電源をオンにする操作をした後、正当な使用者を識別するための識別情報として設定されている姿勢変化パターンと同じパターンで携帯型情報機器の姿勢を変化させると、携帯型情報機器の使用が可能な状態とされる。すなわち、携帯型情報機器の姿勢を正当な使用者を識別するための識別情報として設定されている姿勢変化パターンと同じパターンで変化させる行為が、正当な使用者であることを示すための入力操作とされる。従って、入力キーの操作によりパスワードを入力するという煩雑な行為を必要とせず、携帯型情報機器の姿勢を変化させるという簡単な行為によって、正当な使用者であることを示すための入力操作を行うことができ、これにより、使い勝手が良くなり、利便性が向上する。また、携帯型情報機器は、使用者の片方の手に所持され得る形状をしているため、使用者は、片方の手で携帯型情報機器を持った状態で携帯型情報機器の姿勢を変化させて、正当な使用者であることを示すための入力操作を行うことができ、これにより、使い勝手が良くなり、利便性が向上する。しかも、姿勢検出手段は、本機器の水平な姿勢、水平な姿勢に対して右に略９０度横向きになった姿勢、水平な姿勢に対して左に略９０度横向きになった姿勢、及び、水平な姿勢に対して上下が逆向きになった姿勢の４つの姿勢を区別して検出できればよく、また、姿勢変化パターン検出手段は、携帯型情報機器の姿勢が変化した順序を姿勢変化パターンとして検出するため、姿勢検出手段及び姿勢変化パターン検出手段の構成が簡単で済み、これにより、パスワードの入力を必要とせずに簡単な行為によって正当な使用者であることを示すための入力操作を行うことができる携帯型情報機器を安価に実現することができる。また、正当な使用者を識別するための識別情報として設定される姿勢変化パターンは、使用者によって任意のパターンに決定されるため、より利便性が向上する。
【００１２】
請求項２の発明によれば、正当な使用者を識別するための識別情報として設定されている姿勢変化パターンと同じパターンで携帯型情報機器の姿勢を変化させると、携帯型情報機器の使用が可能な状態とされる。すなわち、携帯型情報機器の姿勢を正当な使用者を識別するための識別情報として設定されている姿勢変化パターンと同じパターンで変化させる行為が、正当な使用者であることを示すための入力操作とされる。従って、入力キーの操作によりパスワードを入力するという煩雑な行為を必要とせず、携帯型情報機器の姿勢を変化させるという簡単な行為によって、正当な使用者であることを示すための入力操作を行うことができ、これにより、使い勝手が良くなり、利便性が向上する。また、携帯型情報機器は、使用者の片方の手に所持され得る形状をしているため、使用者は、片方の手で携帯型情報機器を持った状態で携帯型情報機器の姿勢を変化させて、正当な使用者であることを示すための入力操作を行うことができ、これにより、使い勝手が良くなり、利便性が向上する。
【００１３】
請求項３の発明によれば、姿勢検出手段は、本機器の水平な姿勢、水平な姿勢に対して右に略９０度横向きになった姿勢、水平な姿勢に対して左に略９０度横向きになった姿勢、及び、水平な姿勢に対して上下が逆向きになった姿勢の４つの姿勢を区別して検出できればよく、また、姿勢変化パターン検出手段は、携帯型情報機器の姿勢が変化した順序を姿勢変化パターンとして検出するため、姿勢検出手段及び姿勢変化パターン検出手段の構成が簡単で済み、これにより、パスワードの入力を必要とせずに簡単な行為によって正当な使用者であることを示すための入力操作を行うことができる携帯型情報機器を安価に実現することができる。
【発明を実施するための最良の形態】
【００１４】
以下、本発明を具体化した実施形態による携帯型情報機器について図面を参照して説明する。図１は本実施形態による携帯型情報機器である携帯電話機の構成を示す。携帯電話機１は、使用者に携帯されて使用され、無線通信による音声通話を行うための機器である。また、この携帯電話機１は、無線通信による音声通話に加え、電子メールの送受信や画像の撮像等を行えるようになっている。送受信した電子メールや撮像した画像などの情報は携帯電話機１に記憶され、それら記憶された情報は、使用者の操作によって再生出力できるようになっている。また、この携帯電話機１は、音声の録音も行えるようになっており、録音された情報は、使用者の操作によって再生できるようになっている。
【００１５】
つまり、この携帯電話機１は、使用者の操作によって文書、画像、音声などによる情報を記憶することができ、それら記憶した情報を使用者の操作によって出力できるようになっている。そして、この携帯電話機１は、携帯電話機１の姿勢を検出し得るようになっており、携帯電話機１の姿勢が使用者によって変化させられたときの姿勢変化パターンを基に、携帯電話機１の正当な使用者であるか否かを判断し、携帯電話機１が正当な使用者以外によって使用されるのを禁止する機能を有している。
【００１６】
携帯電話機１は、音声を入力するための音声入力部２と、音声を出力するための音声出力部３と、画像を撮像するための画像撮像部４と、画像を表示するための画像表示部５と、無線通信を行うためのアンテナ６ａを有する無線通信部６と、携帯電話機１を使用するために使用者により操作される操作部７とを備える。
【００１７】
音声入力部２は、音声による情報を入力するための情報入力手段であり、音声出力部３は、音声による情報を出力するための情報出力手段である。画像撮像部４は、画像による情報を入力するための情報入力手段であり、画像表示部５は、画像による情報を出力するための情報出力手段である。無線通信部６は、音声、文書、画像などによる情報を入力するための情報入力手段であると共に、音声、文書、画像などによる情報を出力するための情報出力手段である。操作部７は、携帯電話機１を使用するために使用者により操作される操作手段であり、また、文書による情報を入力するための情報入力手段でもある。
【００１８】
音声入力部２、音声出力部３、画像表示部５、及び操作部７は、筐体８の正面側に設けられており、画像撮像部４は、筺体８の背面側に設けられている。携帯電話機１（筐体８）は、使用者の片方の手に所持され得る形状になっている。
【００１９】
操作部７は、携帯電話機１を使用するために使用者により操作される各種操作キーとして、携帯電話機１の電源をオン／オフする等のために操作される電源スイッチキー１１と、メニュー画面を画像表示部５に表示させる等のために操作されるメニューキー１２と、携帯電話機１の各種機能を選択する等のために操作される機能選択キー１３と、携帯電話機１の各種機能を実行する等のために操作される機能実行キー１４と、画像表示部５に表示される項目を選択する等のために操作されるカーソルキー１５ａ、１５ｂ、１５ｃ、１５ｄと、カーソルキー１５ａ、１５ｂ、１５ｃ、１５ｄにより選択した項目を決定する等のために操作される決定キー１６と、文字、数字、記号を入力する等のために操作される複数の入力キー１７とを有する。
【００２０】
図２（ａ）（ｂ）（ｃ）（ｄ）は、携帯電話機１が検出し得る携帯電話機１の姿勢を示す。携帯電話機１は、図２（ａ）に示すように、水平な姿勢（アンテナ６ａが鉛直上側に位置する姿勢）、図２（ｂ）に示すように、水平な姿勢に対して画像表示部５の画像表示面の表裏の向きを変えることなく右に略９０度横向きになった姿勢、図２（ｃ）に示すように、水平な姿勢に対して画像表示部５の画像表示面の表裏の向きを変えることなく左に略９０度横向きになった姿勢、及び、図２（ｄ）に示すように、水平な姿勢に対して上下が逆向きになった姿勢の４つの姿勢を区別して検出するようになっている。
【００２１】
図３は、携帯電話機１の電気的ブロック構成を示す。携帯電話機１は、上述の構成に加え、携帯電話機１を制御するためのＣＰＵ等からなる制御部（使用禁止制御手段、パターン設定手段）２１と、音声、文書、画像などによる情報が記憶される情報記憶部２２と、携帯電話機１の各種設定を記憶する設定メモリ２３と、携帯電話機１の姿勢を検出する姿勢検出手段であるオリエンテーションセンサ２４と、携帯電話機１の姿勢変化パターンを検出する姿勢変化パターン検出部２５とを備える。
【００２２】
情報記憶部２２は、制御部２１による制御のもと、音声、文書、画像などによる情報を記憶する。設定メモリ２３は、制御部２１による制御のもと、携帯電話機１の正当な使用者を識別するための識別情報として設定される携帯電話機１の姿勢変化パターン等を記憶する。
【００２３】
オリエンテーションセンサ２４は、携帯電話機１の姿勢の傾きに応じて回動する回動部材と、回動部材の回動位置を検出する光センサ等により構成されおり、光センサにより検出した回動部材の回動位置に基いて、携帯電話機１の姿勢を検出する。オリエンテーションセンサ２４は、携帯電話機１の姿勢として、上述した図２（ａ）（ｂ）（ｃ）（ｃ）に示す４つの姿勢を区別して検出し、これらの姿勢を示す検出信号を出力する。
【００２４】
姿勢変化パターン検出部２５は、制御部２１による制御のもと、オリエンテーションセンサ２４から出力される検出信号を基に、使用者により携帯電話機１の姿勢が変化させられたときの携帯電話機１の姿勢変化パターンを検出する。姿勢変化パターン検出部２５は、オリエンテーションセンサ２４から出力される検出信号を一定時間間隔（例えば５００ｍｓ）でサンプリングして、オリエンテーションセンサ２４から出力される検出信号の変化すなわち携帯電話機１の姿勢の変化を検出するようになっており、携帯電話機１の姿勢が変化した順序を姿勢変化パターンとして検出する。
【００２５】
操作部７は、上述のように、携帯電話機１を使用するために使用者により操作される各種操作キーを有しており、各種操作キーが操作されることにより、その操作に対応した操作信号が制御部２１へ入力される。
【００２６】
制御部２１は、操作部７から入力される操作信号を基に、操作部７による操作内容を判断し、操作部７の操作を受けて、携帯電話機１の起動動作、音声通話動作、電子メールの送受信動作、画像撮像部４による画像の撮像動作等の動作を制御する。また、制御部２１は、操作部７の操作を受けて、音声通話における音声、送受信した電子メールの文書、画像撮像部４により撮像した画像等の情報を情報記憶部２２に記憶する情報記憶動作、及び、これら情報記憶部２２に記憶した情報を出力（音声については音声出力部３に音声出力し、文書及び画像については画像表示部５に表示出力）する情報出力動作を制御する。さらに、制御部２１は、操作部７の操作を受けて、携帯電話機１の正当な使用者を識別するための携帯電話機１の姿勢変化パターンを設定するパターン設定動作を制御する。
【００２７】
パターン設定動作は、以下のようにして行われる。すなわち、制御部２１は、使用者によって操作部７により携帯電話機１の姿勢変化パターンを設定するための操作がなされると、音声出力部３からの音声の出力等により使用者に携帯電話機１の姿勢を変化させるように促し、その後、使用者によって携帯電話機１の姿勢が変化させられる際に携帯電話機１の姿勢変化パターンを姿勢変化パターン検出部２５により検出し、そして、その検出した姿勢変化パターンを、携帯電話機１の正当な使用者を識別するための姿勢変化パターンとして設定して設定メモリ２３に記憶する。
【００２８】
図４は、上記携帯電話機１の制御部２１による携帯電話機１の起動動作のフローチャートを示す。まず、携帯電話機１の制御部２１は、電源スイッチキー１１により携帯電話機１の電源をオンにする電源オン操作がなされると（＃１でＹＥＳ）、携帯電話機１の電源をオンにする（＃２）。
【００２９】
続いて、制御部２１は、姿勢変化パターンの入力を要求する（＃３）。姿勢変化パターンの入力の要求は、例えば、使用者に携帯電話機１の姿勢を変化させるように促す旨の音声を音声出力部３から出力することにより行われる。
【００３０】
その後、制御部２１は、使用者によって入力された姿勢変化パターン（すなわち、使用者によって携帯電話機１の姿勢が変化させられたときの携帯電話機１の姿勢変化パターン）を姿勢変化パターン検出部２５により検出し、使用者によって入力された姿勢変化パターン（姿勢変化パターン検出部２５により検出された姿勢変化パターン）を設定メモリ２３に記憶されている姿勢変化パターンと照合する（＃４）。
【００３１】
そして、使用者によって入力された姿勢変化パターンが正当な姿勢変化パターンであれば、すなわち、使用者によって入力された姿勢変化パターンが設定メモリ２３に記憶されている姿勢変化パターンと同じであれば（＃５でＹＥＳ）、制御部２１は、携帯電話機１を通常起動して（＃６）、携帯電話機１の全ての動作について使用を可能な状態にする。
【００３２】
一方、使用者によって入力された姿勢変化パターンが正当な姿勢変化パターンでなければ、すなわち、使用者によって入力された姿勢変化パターンが設定メモリ２３に記憶されている姿勢変化パターンと同じでなければ（＃５でＮＯ）、制御部２１は、電源をオフにして（＃７）、携帯電話機１の全ての動作について使用を不可能な状態にする。つまり、制御部２１は、使用者によって入力された姿勢変化パターンを基に携帯電話機１の正当な使用者であるか否かを判断し、正当な使用者に対しては、携帯電話機１の使用を許可し、正当な使用者以外に対しては、携帯電話機１の使用を禁止する。
【００３３】
このような構成の携帯電話機１によれば、使用者が電源スイッチキー１１により電源をオンにする電源オン操作をした後、正当な使用者を識別するための識別情報として設定されている（設定メモリ２３に記憶されている）姿勢変化パターンと同じパターンで携帯電話機１の姿勢を変化させると、携帯電話機１の使用が可能な状態とされる。すなわち、携帯電話機１の姿勢を正当な使用者を識別するための識別情報として設定されている姿勢変化パターンと同じパターンで変化させる行為が、正当な使用者であることを示すための入力操作とされる。
【００３４】
従って、入力キー１７等の操作によりパスワードを入力するという煩雑な行為を必要とせず、携帯電話機１の姿勢を変化させるという簡単な行為によって、正当な使用者であることを示すための入力操作を行うことができ、これにより、使い勝手が良くなり、利便性が向上する。また、携帯電話機１は、使用者の片方の手に所持され得る形状をしているため、使用者は、片方の手で携帯電話機１を持った状態で携帯電話機１の姿勢を変化させて、正当な使用者であることを示すための入力操作を行うことができ、これにより、使い勝手が良くなり、利便性が向上する。
【００３５】
しかも、オリエンテーションセンサ２４は、携帯電話機１の水平な姿勢、水平な姿勢に対して右に略９０度横向きになった姿勢、水平な姿勢に対して左に略９０度横向きになった姿勢、及び、水平な姿勢に対して上下が逆向きになった姿勢の４つの姿勢を区別して検出できればよく、また、姿勢変化パターン検出部２５は、携帯電話機１の姿勢が変化した順序を姿勢変化パターンとして検出するため、オリエンテーションセンサ２４及び姿勢変化パターン検出部２５の構成が簡単で済み、これにより、パスワードの入力を必要とせずに簡単な行為によって正当な使用者であることを示すための入力操作を行うことができる携帯電話機１を安価に実現することができる。また、正当な使用者を識別するための識別情報として設定される姿勢変化パターンは、使用者によって任意のパターンに決定されるため、より利便性が向上する。
【００３６】
なお、本発明は、上記各実施形態の構成に限られず、種々の変形が可能である。例えば、電源スイッチキーにより電源オン操作をした後、使用者によって入力された姿勢変化パターンが正当な姿勢変化パターンでなかった場合、全ての動作についての使用を不可能にすることに代えて、少なくとも情報記憶部に記憶されている情報（撮像した画像、送受信した電子メール、録音した音声など）を出力する動作について使用を不可能な状態にするようにしてもよい。
【００３７】
また、電源スイッチキーにより電源オン操作をした直後に使用者に姿勢変化パターンを入力させることに代えて、操作部によって情報を出力するための情報出力操作（画像撮像部により撮像して記憶されている画像を画像表示部に表示する操作、送受信した電子メールを画像表示部に表示する操作、録音されている音声を音声出力部から出力する操作など）がなされたときに使用者に姿勢変化パターンを入力させるようにし、そして、入力された姿勢変化パターンが正当な姿勢変化パターンであった場合に、情報記憶部に記憶されている情報を出力する動作について使用を可能な状態にし、入力された姿勢変化パターンが正当な姿勢変化パターンでなかった場合に、情報記憶部に記憶されている情報を出力する動作について使用を不可能な状態にするようにしてもよい。
【００３８】
また、姿勢変化パターンは、使用者の操作により任意に設定されるものに限られず、携帯電話機の個々の機体毎に予め設定されたものであってもよい。また、本発明は、携帯電話機に限られず、ビデオカメラ、デジタルスチルカメラ、音声レコーダ等の携帯型情報機器にも適用可能である。
【図面の簡単な説明】
【００３９】
【図１】本発明の一実施形態に係る携帯電話機の概略構成を示す正面側から見た平面図。
【図２】（ａ）は同携帯電話機の水平な姿勢を示す正面側から見た平面図、（ｂ）は同携帯電話機の右に略９０度横向きになった姿勢を示す正面側から見た平面図、（ｃ）は同携帯電話機の左に略９０度横向きになった姿勢を示す正面側から見た平面図、（ｄ）は同携帯電話機の上下が逆向きになった姿勢を示す正面側から見た平面図。
【図３】同携帯電話機の電気的ブロック構成図。
【図４】同携帯電話機の起動動作を示すフローチャート。
【符号の説明】
【００４０】
１    携帯電話機（携帯型情報機器）
２    音声入力部（情報入力手段）
３    音声出力部（情報出力手段）
４    画像撮像部（情報入力手段）
５    画像表示部（情報出力手段）
６    無線通信部（情報入力手段、情報出力手段）
６ａ    アンテナ
７    操作部（操作手段、情報入力手段）
８    筺体
１１    電源スイッチキー
１２    メニューキー
１３    機能選択キー
１４    機能実行キー
１５ａ、１５ｂ、１５ｃ、１５ｄ    カーソルキー
１６    決定キー
１７    入力キー
２１    制御部（使用禁止制御手段、パターン設定手段）
２２    情報記憶部（情報記憶手段）
２３    設定メモリ
２４    オリエンテーションセンサ（姿勢検出手段）
２５    姿勢変化パターン検出部
【図１】
2008228236.tif 000003
【図２】
2008228236.tif 000004
【図３】
2008228236.tif 000005
【図４】
2008228236.tif 000006